(57)【要約】【課題】本発明は、筆記機能及び接触式入力機能を兼備するタッチペンを提供することを目的とする。【解決手段】本発明に係るタッチペンは、ブラケットと、それぞれ前記ブラケットに回転可能に装着され、且つ両方とも前記ブラケットに着脱可能に収納される第一筆軸及び第二筆軸と、を備える。【選択図】図４
2011253541.tif 000002
【特許請求の範囲】
【請求項１】
ブラケットと、それぞれ前記ブラケットに回転可能に装着され且つ両方とも前記ブラケットに着脱可能に収納される第一筆軸及び第二筆軸と、を備えることを特徴とするタッチペン。
【請求項２】
前記ブラケットは、第一収容部及び第二収容部を備え、前記第一筆軸と前記第二筆軸とは、それぞれ回転軸を介して前記第一収容部及び第二収容部に収納されることを特徴とする請求項１に記載のタッチペン。
【請求項３】
前記ブラケットは、底板と、それぞれ前記底板の両辺に垂直に突設される側板と、前記底板の長手方向の中心線に沿って間隔をあけて突出する第一仕切壁及び第二仕切壁と、前記底板の長手方向の両端をそれぞれ半分ほど閉切っている第一端部側板及び第二端部側板と、を備え、
前記第一端部側板の両端は、一方側の側板及び前記第一仕切壁にそれぞれ連接されて、前記第一収容部を取り囲んで形成し、前記第二端部側板の両端は、他方側の側板及び前記第二仕切壁にそれぞれ連接されて、前記第二収容部を取り囲んで形成することを特徴とする請求項２に記載のタッチペン。
【請求項４】
前記第一筆軸の外側面には、第一係止用孔が設けられ、一方側の前記側板の内面には第一突起が設けられ、前記第二筆軸の外側面には、第二係止用孔が設けられ、他方側の前記側板の内面には、第二突起が設けられ、
前記第一突起と前記第一係止用孔との嵌合によって、前記第一筆軸は前記第一収容部内にロックされ、前記第二突起と前記第二係止用孔との嵌合によって、前記第二筆軸は前記第二収容部内にロックされることを特徴とする請求項３に記載のタッチペン。
【請求項５】
前記第一筆軸の末端には、第一係止用塊が突設され、一方側の前記側板には、第一位置決め塊が突設され、前記第二筆軸の末端には、第二係止用塊が突設され、他方側の前記側板には、第二位置決め塊が突設され、
前記第一係止用塊が前記第一位置決め塊を超えてそれに当接すると、前記第一筆軸は前記ブラケットに対して１８０度回転して展開され、前記第二係止用塊は、前記第二位置決め塊を超えてそれに当接すると、前記第二筆軸は前記ブラケットに対して１８０度回転して展開されることを特徴とする請求項４に記載のタッチペン。
【請求項６】
前記底板における前記第一仕切壁及び前記第二仕切壁の間には、矩形開口が設けられており、
前記矩形開口から前記第一筆軸或いは前記第二筆軸に外力を加えて、それを回転させることを特徴とする請求項３から５のいずれか１項に記載のタッチペン。
【発明の詳細な説明】
【技術分野】
【０００１】
本発明は、タッチペンに関し、特に多機能のタッチペンに関するものである。
【背景技術】
【０００２】
従来の電子装置に用いられるタッチペンは、単純な接触式入力機能だけを有し、紙などに筆記することができない。人々が外出時に電話番号及びアドレスなどの情報を記録しようとするときに、ボールペン等を持っていなければもどかしい思いをする。ゆえに、人々はタッチペンを携帯すると共に、筆記用のペンを携帯する必要がある。従って、携帯する物品の数量が増加して、使用者の負担が増える。
【発明の概要】
【発明が解決しようとする課題】
【０００３】
本発明は上記の問題点を考慮してなされたものであり、筆記機能及び接触式入力機能を兼備するタッチペンを提供することを目的とする。
【課題を解決するための手段】
【０００４】
前記課題を解決するために、本発明に係るタッチペンは、ブラケットと、それぞれ前記ブラケットに回転可能に装着され、且つ両方とも前記ブラケットに着脱可能に収納される第一筆軸及び第二筆軸と、を備える。
【発明の効果】
【０００５】
従来の技術と比較して、本発明に係るタッチペンの第一筆軸及び第二筆軸は、それぞれ接触式入力機能及び筆記機能を兼備するので、前記タッチペンの機能が多様になる。しかも、使用しない場合、回転することで、前記第一筆軸及び前記第二筆軸をそれぞれ前記タッチペンのブラケットに収納することができるので、前記タッチペンは小型化できるという利点も有し、携帯する際に便利である。
【図面の簡単な説明】
【０００６】
【図１】本発明に係るタッチペンの分解図である。
【図２】図１に示したタッチペンの組立て図である。
【図３】図２に示したタッチペンのＩＩＩ−ＩＩＩ線に沿う断面図である。
【図４】図２に示したタッチペンの使用状態を示す図である。
【図５】図４に示したタッチペンのＶ−Ｖ線に沿う断面図である。
【図６】図２に示したタッチペンのもう１つの使用状態を示す図である。
【発明を実施するための形態】
【０００７】
図１に示したように、本発明に係るタッチペン１００は、ブラケット１０と、第一筆軸２０と、第二筆軸３０と、を備える。前記第一筆軸２０は、第一回転軸４０を介して前記ブラケット１０に回転可能に装着され、前記第二筆軸３０は、第二回転軸５０を介して前記ブラケット１０に回転可能に装着される。
【０００８】
前記ブラケット１０は、底板１１と、それぞれ前記底板１１の両辺から垂直に突設される側板１２と、前記底板１１の長手方向の中心線に沿って間隔をあけて設けられる第一仕切壁１３及び第二仕切壁１４と、前記ブラケット１０の長手方向の両端をそれぞれ半分ほど仕切る第一端部側板１５及び第二端部側板１６と、を備える。前記第一端部側板１５の両端は、それぞれ一方側の側板１２及び前記第一仕切壁１３に連接されて、前記第一筆軸２０を収納するための第一収容部１７を取り囲んで形成する。前記第二端部側板１６の両端は、それぞれ他方側の側板１２及び前記第二仕切壁１４に連接されて、前記第二筆軸３０を収納するための第二収容部１８を取り囲んで形成する。前記底板１１における前記第一仕切壁１３及び前記第二仕切壁１４の間には、矩形開口１１２が設けられている。前記矩形開口１１２が存在するため、ユーザーは前記第一筆軸２０及び前記第二筆軸３０を簡単に操作することができる。
【０００９】
前記第一収容部１７を形成する側板１２及び前記第一仕切壁１３には、それぞれ第一軸孔１７２と、前記第一軸孔１７２の周囲を取り囲む第一環状凹溝１７４と、が設けられている。前記側板１２の第一軸孔１７２と前記第一仕切壁１３の第一軸孔１７２とは、同一軸上に位置して、前記第一回転軸４０を固定するために用いられる。各第一環状凹溝１７４の底面には、第一位置決め塊１７６が設けられている。前記第一収容部１７を形成する側板１２の内面及び前記第一仕切壁１３における前記第一軸孔１７２から離れている一端には、向き合うように設置される第一突起１７８が存在する。
【００１０】
前記第二収容部１８を形成する側板１２及び前記第二仕切壁１４には、それぞれ第二軸孔１８２と、前記第二軸孔１８２の周囲を取り囲む第二環状凹溝１８４と、が設けられている。前記側板１２の第二軸孔１８２と前記第二仕切壁１４の第二軸孔１８２とは、同一軸上に位置して、前記第二回転軸５０を固定するために用いられる。各第二環状凹溝１８４の底面には、第二位置決め塊１８６が設けられている。前記第二収容部１８を形成する側板１２の内面及び前記第二仕切壁１４における前記第二軸孔１８２から離れている一端には、向き合うように設置される第二突起１８８が存在する。
【００１１】
前記第一筆軸２０は、ロッド部２２及び前記ロッド部２２の一端に設けられる筆先２４を含む。前記ロッド部２２の前記筆先２４と反対の他端には、径方向に沿って前記ロッド部２２を貫通する第一貫通孔２２２が設けられている。前記第一貫通孔２２２及び前記第一軸孔１７２を第一回転軸４０が貫通することにより、前記第一筆軸２０は前記ブラケット１０に回転可能に装着される。前記ロッド部２２の外側面における前記第一貫通孔２２２の隣には、それぞれ１つの第一係止用塊２２４が突設されている。前記第一係止用塊２２４が前記ブラケット１０の第一位置決め塊１７６に当接すると、前記第一筆軸２０は前記ブラケット１０に対して展開されるように位置決めされる。前記ロッド部２２の中部には、２つの第一係止用孔２２６が対向して設けられている。前記第一係止用孔２２６が前記第一収容部１７の第一突起１７８に係合すると、前記第一筆軸２０は前記第一収容部１７内にロックされる。
【００１２】
前記第二筆軸３０は、中空の筒状部３２と、細長い筆芯３４と、内周面にねじ山が設けられた留め部３６と、を含む。前記筒状部３２には、軸方向に沿って前記筆芯３４を収納するための空洞部（図示せず）が設けられている。前記筒状部３２の一端の外周面には、前記留め部３６のねじ山と組み合わせられるねじ山が設けられ、前記筒状部３２の他端には、径方向に沿って前記筒状部３２を貫通する第二貫通孔３２２が設けられている。前記第二貫通孔３２２及び前記第二軸孔１８２を第二回転軸５０が貫通することにより、前記第二筆軸３０は前記第一筆軸２０に回転可能に装着される。前記筒状部３２の外側面における前記第二貫通孔３２２の隣には、１つの第二係止用塊３２４がそれぞれ設けられている。前記第二係止用塊３２４が前記ブラケット１０の第二位置決め塊１８６に当接すると、前記第二筆軸３０は前記ブラケット１０に対して展開されるように位置決めされる。前記筒状部３２の中部には、２つの第二係止用孔３２６が対向して設けられている。前記第二係止用孔３２６が前記第一筆軸２０の第二突起１８８に係合すると、前記第二筆軸３０は前記第二収容部１８内にロックされる。前記筆芯３４は、筆記に用いられる筆先３４２を備え、前記筆芯３４を前記筒状部３２内に挿入して、前記留め部３６を前記筒状部３２に螺合した後、前記筆先３４２は前記留め部３６から自然に露出する。
【００１３】
以下、図１〜図３を参照しながら、本発明のタッチペンの組立てステップについて詳細に説明する。
【００１４】
まず、前記第一筆軸２０の第一貫通孔２２２と前記ブラケット１０の第一軸孔１７２との位置を合わせてから、前記第一貫通孔２２２及び前記第一軸孔１７２に前記第一回転軸４０を貫通させて、前記第一筆軸２０を前記ブラケット１０に回転可能に装着する。続いて、前記筆芯３４を前記筒状部３２の空洞部内に挿入して、前記留め部３６を前記筒状部３２に螺合して、前記筆先３４２を前記留め部３６の頂端から突き出させる。続いて、前記第二筆軸３０の第二貫通孔３２２と前記ブラケット１０の第二軸孔１８２との位置を合わせてから、前記第二貫通孔３２２及び前記第二軸孔１８２に前記第二回転軸５０を貫通させて、前記第二筆軸３０を前記ブラケット１０に回転可能に装着する。
【００１５】
次に、外力により前記第一筆軸２０を前記第一回転軸４０回りに回転させて、前記第一筆軸２０の第一係止用孔２２６を前記ブラケット１０の第一突起１７８に係合させて、前記第一筆軸２０を前記第一収容部１７内にロックする。続いて、外力により前記第二筆軸３０を前記第二回転軸５０回りに回転させて、前記第二筆軸３０の第二係止用孔３２６を前記ブラケット１０の第二突起１８８に係合させて、前記第二筆軸３０を前記第二収容部１８内にロックする。
【００１６】
図４及び図５に示したように、前記タッチペン１００の筆記機能を使用する場合、前記ブラケット１０の矩形開口１１２から前記第二筆軸３０に外力を加えて、前記第二筆軸３０の第二係止用孔３２６を前記第二突起１８８から離脱させて、前記第二回転軸５０回りに前記第二筆軸３０を回転させると、前記第二筆軸３０の第二係止用塊３２４は、前記第二収容部１８の第二環状凹溝１８４内でスライドする。前記第二係止用塊３２４は、前記第二環状凹溝１８４内の第二位置決め塊１８６を越えてそれに当接すると、前記第二筆軸３０の一端が前記第二位置決め塊１８６と前記底板１１との間に挟持されて、前記第二筆軸３０は前記ブラケット１０に対して１８０度回転して展開される。このとき、前記第二筆軸３０の筆先３４２を用いて紙に筆記することができる。
【００１７】
図６に示したように、前記タッチペン１００の接触式入力機能を使用する場合、前記ブラケット１０の矩形開口１１２から前記第一筆軸２０に外力を加えて、前記第一筆軸２０の第一係止用孔２２６を前記第一突起１７８から離脱させて、前記第一回転軸４０回りに前記第一筆軸２０を回転させると、前記第一筆軸２０の第一係止用塊２２４は、前記第一収容部１７の第一環状凹溝１７４内でスライドする。前記第一係止用塊２２４は、前記第一環状凹溝１７４内の第一位置決め塊１７６を越えてそれに当接すると、前記第一筆軸２０の一端が前記第一位置決め塊１７６と前記底板１１との間に挟持されて、前記第一筆軸２０は前記ブラケット１０に対して１８０度回転して展開される。このとき、前記第一筆軸２０の筆先２４を用いてタッチパネルに入力することができる。
【００１８】
また、前記第一端部側板１５を前記第二端部側板１６に連接させる（即ち、両者を同一直線状に設置する）ように、両者を前記底板１１の同一端部に設けると共に、２つの前記第一軸孔１７２をそれぞれ反対側の前記側板１２及び第一仕切壁１３（又は第二仕切壁１４）に設けて、前記第一軸孔１７２及び前記第二軸孔１８２を同一軸上に設けることができる。これにより、前記タッチペン１００を組み立てた後、前記第一筆軸２０及び前記第二筆軸３０は、延伸方向が一致するように前記ブラケット１０内に平行に収納され、且つ使用する場合の両者の回転方向も同じである。
【００１９】
また、前記第一環状凹溝１７４、前記第一位置決め塊１７６、前記第一突起１７８、前記第二環状凹溝１８４、前記第二位置決め塊１８６及び前記第二突起１８８の数をそれぞれ１つにしてもよい。それに合わせて、前記第一係止用塊２２４、前記第一係止用孔２２６、前記第二係止用塊３２４及び前記第二係止用孔３２６も１つだけ設けられる。
【００２０】
本発明に係るタッチペン１００において、その第一筆軸２０及び第二筆軸３０は、それぞれ接触式入力機能及び筆記機能を兼備するので、前記タッチペン１００の機能が多様になる。さらに、使用しない場合、回転することで、前記第一筆軸２０及び前記第二筆軸３０をそれぞれ前記ブラケット１０内に収納することができるので、前記タッチペン１００は小型化できるという利点も有し、携帯する際に便利である。
【００２１】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００２２】
１０        ブラケット
１２        側板
１３        第一仕切壁
１４        第二仕切壁
１５        第一端部側板
１６        第二端部側板
１７        第一収容部
１８        第二収容部
２０        第一筆軸
２２        ロッド部
２４        筆先
３０        第二筆軸
３２        筒状部
３４        筆芯
３６        留め部
４０        第一回転軸
５０        第二回転軸
１００      タッチペン
１１２      矩形開口
１７２      第一軸孔
１７４      第一環状凹溝
１７６      第一位置決め塊
１７８      第一突起
１８２      第二軸孔
１８４      第二環状凹溝
１８６      第二位置決め塊
１８８      第二突起
２２２      第一貫通孔
２２４      第一係止用塊
２２６      第一係止用孔
３２２      第二貫通孔
３２４      第二係止用塊
３２６      第二係止用孔
３４２      筆先
【図１】
2011253541.tif 000003
【図２】
2011253541.tif 000004
【図３】
2011253541.tif 000005
【図４】
2011253541.tif 000006
【図５】
2011253541.tif 000007
【図６】
2011253541.tif 000008